(57)【要約】      （修正有）【課題】芯材に合板を用い伸縮や、狂いが少なく、割れも起こりにくく、安価であり、製作容易であり、且つ、表面と裏面に杉等の間伐材を利用した無垢材を配置して、単一材（無垢材）を強く訴えるデザイン性を採用し、心和ませる感触と高級感とを心理的に与え、心地よく生活し得る環境を整える木製ドアを提供することにある。【解決手段】  上下の横框５に設けた溝と、左右の縦框７に設けた溝とを、四角形の合板製の芯材４の夫々上下端部及び左右端部に被着させて補強して、その表面と裏面との全面に複数の単一材（無垢材）である表面部材と裏面部材とを上下端部に鋲にて固着してなる表面材１０と裏面材１５とを有することを特徴とする木製ドアである。【選択図】  図１
2007092491.tif 000002
【特許請求の範囲】
【請求項１】
一方の面に長手方向に溝を備えた上下の横框と、一方の面に長手方向に溝を備えた左右の縦框とを、各々前記溝により、四角形の合板製の芯材の上下端部と左右端部とに夫々被着させ、表面側の全面に複数の単一材（無垢材）を配置し、前記複数の単一部材（無垢材）の夫々上下端部を前記上下の横框に夫々第１の鋲にて固着して形成される表面材と、対称的に裏面側の全面に複数の単一材（無垢材）を配置して、前記複数の単一材（無垢材）の夫々上下端部を前記上下の横框に夫々第１の鋲にて固着して形成される裏面材とを有することを特徴とする木製ドア。
【請求項２】
前記木製ドアの複数箇所に、前記木製ドアを回動自在に支持する、蝶番の一方の延在する取付けアームを、前記蝶番の回転軸寄りの前記取付けアームの付け根部中心とこの取付けアームの先端部とを結ぶ線を水平位置より、この取付けアームの先端部をやや下方位置になるように、複数の第３の鋲にて前記木製ドアの表面に取付けてなることを特徴とする請求項１記載の木製ドア。
【請求項３】
前記木製ドアに、アイアン格子で防護された小ドア付きの小窓を備えたことを特徴とする請求項１又は２記載の木製ドア。
【請求項４】
前記木製ドアに、切断された空き瓶底部を嵌め込んだ明かり窓を備えたことを特徴とする請求項１又は２記載の木製ドア。
【発明の詳細な説明】
【技術分野】
【０００１】  本発明は、木製ドア構造に関する。
【背景技術】
【０００２】従来、木質系ドアは、外周部に木製の枠材が設けられ、その表面側と裏面側とに夫々、表面材と裏面材が配置され、この表面材と裏面材間に断熱材が介装されたサンドイッチ構造で形成されているドアがある。その他の例として、木材を一定幅及び同じ長さに切断して木目を同じ方向にしながら幅方向へ繋ぎ合わせて一定大きさの板材である単層板となし、これら単層板の奇数枚を木目方向が直交するように交互に接着剤を用いて圧着した積層パネルとなし、表面を木工機械のＮＣルータで枠縁取りの彫り込みで鏡板を形成し、上下各辺の彫り込みに横框を接着した木製ドアの例がある。【０００３】なお、本願発明に関連する公知技術として次の特許文献１及び特許文献２を挙げることが出来る。【０００４】
【特許文献１】  特開平１０−２０５２３３号公報
【特許文献２】  特開２００４−３５３３８６号公報
【発明の開示】
【発明が解決しようとする課題】
【０００５】  上述の如く、従来技術に係る特許文献１では、建物の建替えやリフォームで不要となったドアは、表面材と裏面材間に断熱材が介装されたサンドイッチ構造で形成されていて、その断熱材が、ドア内部空間に原液等を注入させて発泡体を形成する、例えばポリウレタン発泡体であったりすると、ドア内部に固着していて分解するのに容易でなく時間がかかり、その処理の工数が大変であり、大きな経済的な損失である。【０００６】  更に、従来技術に係る特許文献２では、表面に縦方向の木目を顕出させた積層パネルを作成し、ＮＣルーター木工機等により、この積層パネルの周辺に一定幅寸法の枠縁取りの彫り込みを施し、内方に鏡板相当部を形成すると共に、枠縁取りの上辺及び下辺部は彫り込み面と同一面に形成し、上下の横框を接着させてなる木製ドアであるから、玄関ドア等のように風雨にさらされる場合に、経時変化により端部の接着部分が剥がれてしまうという不具合がある。【０００７】  本発明は、このような点に鑑みてなされたものであり、その目的は、芯材に合板を用い伸縮や、狂いが少なく、割れも起こりにくく、安価であり、製作容易であり、且つ、表面と裏面に杉等の間伐材を利用した板状材を配置して、無垢材（単一材）を強く訴えるデザイン性を採用し、心和ませる感触と高級感とを心理的に与え、心地よく生活し得る環境を整える木製ドアを提供することにある。
【課題を解決するための手段】
【０００８】  上述の目的を達成するために、請求項１の発明は、一方の面に長手方向に溝を備えた上下の横框と、一方の面に長手方向に溝を備えた左右の縦框とを、各々前記溝により、四角形の合板製の芯材の上下端部と左右端部とに夫々被着させ、表面側の全面に複数の単一材（無垢材）を配置し、前記複数の単一部材（無垢材）の夫々上下端部を前記上下の横框に夫々第１の鋲にて固着して形成される表面材と、対称的に裏面側の全面に複数の単一材（無垢材）を配置して、前記複数の単一材（無垢材）の夫々上下端部を前記上下の横框に夫々第１の鋲にて固着して形成される裏面材とを有することを特徴とする木製ドアである。【０００９】  上記請求項１の発明の場合、木製ドアは、四角形の合板製の芯材を使用し、芯材の上下端部に、横框に備えてある溝にて夫々横框を被着させ、同様に前記芯材の左右端部に、縦框に備えてある溝にて夫々縦框を被着させ、上下端部と左右端部とを夫々横框と夫々縦框とにより補強してある。そして、表面側の全面に、複数の単一材（無垢材）を夫々上下端部にて夫々第１の鋲により前記上下の横框に固着して表面材を形成し、対称的に、裏面側の全面に、複数の単一材（無垢材）を夫々上下端部にて夫々第１の鋲により前記上下の横框に固着して裏面材を形成してある。これにより木製ドアは、伸縮や、狂いが少なく、割れも起こりにくく、安価であり、製作容易であると共に、表面と裏面との全面に杉等の間伐材を利用した複数の無垢の板状材（単一材）を配置して、本物の木目を表面に見せ、木の温もりを強く訴えるデザイン性を採用したので、視覚を通して無垢材（単一材）の心和ませる感触と高級感とを心理的に与え得ると共に、安価で、堅牢な木製ドアが得られる。【００１０】  請求項２の発明は、前記木製ドアの複数箇所に、前記木製ドアを回動自在に支持する、蝶番の一方の延在する取付けアームを、前記蝶番の回転軸寄りの前記取付けアームの付け根部中心とこの取付けアームの先端部とを結ぶ線を水平位置より、この取付けアームの先端部をやや下方位置になるように、複数の第３の鋲にて前記木製ドアの表面に取付けてなることを特徴とする請求項１記載の木製ドアである。【００１１】  上記請求項２の発明の場合、前記木製ドアの上下の複数箇所に、前記木製ドアを回動自在に支持する、夫々の蝶番の一方の延在する取付けアームの先端部を水平位置より予め下方位置に下げて、夫々の蝶番を前記木製ドアの表面に複数の第３の鋲にて取付けて、前記木製ドアの重みに起因する蝶番の撓み等による前記木製ドアの片下がりを防止することが出来て、前記木製ドアの開閉が滑らかに行える。更に、前記木製ドアの前面に延在する前記蝶番の前記取付けアームを複数の鋲にて取付けることにより前記木製ドアの装飾を兼備すると共に、蝶番が確実に固定されて堅牢な木製ドアを形成している。【００１２】  請求項３の発明は、前記木製ドアに、アイアン格子で防護された小ドア付きの小窓を備えたことを特徴とする請求項１又は２記載の木製ドアである。【００１３】  上記請求項３の発明の場合、前記木製ドアの表面側に、アイアン格子で防護された小ドア付きの小窓を設けてあるので、安心して小ドアの掛け金を外して小ドアを開けて、小窓から、訪問客が知人であるか否かを直接確認でき、再び小ドアを閉じて掛け金を掛けてから、訪問客に応対すれば良いので便利である。【００１４】  請求項４の発明は、前記木製ドアに、切断された空き瓶底部を嵌め込んだ明かり窓を備えたことを特徴とする請求項１又は２記載の木製ドアである。【００１５】  上記請求項４の発明の場合、種々の空き瓶の中から好みの色等の空き瓶を選び、底部をを残して切断して、底部を前記木製ドアの孔に嵌め込んで窓ガラスとする明かり窓として備えているので、空き瓶を有効利用でき省資源となり、且つ、空き瓶の底部とは思えないようなきれいなガラスを通して室内の明かりが確認できて便利である。
【発明の効果】
【００１６】  以上説明したように本発明の請求項１の木製ドアによれば、本発明の木製ドアは、四角形の合板製の芯材を使用し、芯材の上下端部に、横框に備えてある溝にて夫々横框を被着させ、同様に前記芯材の左右端部に、縦框に備えてある溝にて夫々縦框を被着させ、上下端部と左右端部とを夫々横框と夫々縦框とにより堅牢に補強してあり、安定した出来映え品質を確保できる。そして、表面側の全面に、複数の単一材（無垢材）を夫々上下端部にて夫々第１の鋲により前記上下の横框に固着して表面材を形成し、対称的に、裏面側の全面に、複数の単一材（無垢材）を夫々上下端部にて夫々第１の鋲により前記上下の横框に固着して裏面材を形成してある。これにより木製ドアは、端部を横框、縦框により補強された合板製の芯材を用いているので伸縮や、狂いが少なく、割れも起こりにくく、安価であり、製作容易であると共に、表面と裏面との全面に杉等の間伐材を利用した複数の無垢の板状材（単一材）を配置して、本物の木目を表面に見せ、木の温もりを強く訴えるデザイン性を採用したので、視覚を通して無垢材（単一材）の心和ませる感触と高級感とを心理的に与え得ると共に、安価で、堅牢な木製ドアであり、心地よく生活し得る環境を整えることが可能で便利である。【００１７】  請求項２の発明によれば、請求項１の効果と共に、前記木製ドアの上下の複数箇所に、前記木製ドアを回動自在に支持する、蝶番の一方の延在する取付けアームの先端部を水平位置より予め下方に下げて、夫々の蝶番を前記木製ドアの表面に複数の第３の鋲にて取付けて、木製ドアの重みに起因する蝶番の撓みによる木製ドアの片下がりを防止する。これにより木製ドアの片下がりないので、ドアの開閉が滑らかに出来て、外出時や帰宅時等のドアの施錠や解錠が容易に出来て、便利である。更に、前記木製ドアの前面に延在する前記蝶番の前記取付けアームを複数の第３の鋲にて取付けることにより前記木製ドアの装飾を兼備すると共に、蝶番が確実に固定されて堅牢な木製ドアを形成できる。【００１８】  請求項３の発明によれば、請求項１又は２の効果と共に、前記木製ドアの表面側に、アイアン格子で防護された小ドア付きの小窓を設けてあるので、安心して小ドアの掛け金を外して小ドアを開けて、小窓から、訪問客が知人であるか否かを直接確認でき、再び小ドアを閉じて掛け金を掛けてから、訪問客に応対すれば良いので便利である。【００１９】  請求項４の発明によれば、請求項１又は２の効果と共に、種々の空き瓶の中から好みの色等の空き瓶を選び、底部をを残して切断して、底部を前記木製ドアの孔に嵌め込んで窓ガラスとする明かり窓として備えているので、空き瓶を有効利用でき省資源となり、且つ、空き瓶の底部とは思えないようなきれいなガラスを通して室内の明かりが確認できて便利である。
【発明を実施するための最良の形態】
【００２０】  以下、本発明の実施の形態を図面を参照しながら詳細に説明する。【００２１】  図１〜図２は、本発明の第１の実施の形態に係り、図１はその木製ドア１の外観斜視図である。図２はその木製ドア１のドア本体２の分解斜視図である。【００２２】  図１に示すように、木製ドア１は、ドア本体２の左方端部に配置されている蝶番２５により回動自在に支持される。ここでは上下３箇所の蝶番２５が配置されているが上下２箇所の蝶番２５でも良い。蝶番２５は蝶番上部材２６と蝶番２７とからなり、蝶番下部材２７は壁側（図示せず）に取付けられ、蝶番上部材２６は、蝶番上部材２６から一方に延在する取付けアーム２６ａにより、複数の第３の鋲２８にて前記木製ドア１の表面材１０に取付けてある。前記取付けアーム２６ａは装飾を兼備しながら表面材１０上に延在していて確実に複数の第３の鋲２８にて取付けられていて堅牢な木製ドア１を形成している。【００２３】  ところで、前記木製ドア１に、蝶番２５を取付けアーム２６ａにて取付ける場合に、取付けアーム２６ａの先端部を水平位置より予め下方に下げて、前記木製ドア１を構成するドア本体２の表面材１０に前記取付けアーム２６ａを複数の第３の鋲２８にて取付けて、木製ドア１の重みに起因する蝶番２５の撓みによる木製ドア１の片下がりを防止する。これにより木製ドア１の片下がりがないので、木製ドア１の開閉が滑らかに出来て、外出時や帰宅時等の木製ドア１の施錠や解錠が容易に出来て、便利である。そして、前記木製ドア１の表面の前面右方端部の中央近傍に、錠前（図示せず）を内蔵しているハンドル３０が配置されている。【００２４】  図２に示すように、ドア本体２には、一方の面に長手方向に溝６を備えた上下の横框５、５と、一方の面に長手方向に溝８を備えた左右の縦框７，７とを、各々前記溝６，８により、四角形の合板製の芯材４の上下端部に横框５，５を、左右端部に縦框７，７を夫々被着させる。上下端部に配置された各横框５，５の左右両端部には凸部が設けられていて、縦框７の溝８に嵌り込んで隙間を埋める。そして、表面側の全面に複数の単一材（無垢材）である表面部材１１ａ，１１ｂ，１１ｃ、…、１１ｉを配置し、前記複数の単一材（無垢材）である表面部材１１ａ，１１ｂ，１１ｃ、…、１１ｉの夫々上下端部を前記上下の横框５，５に夫々第１の鋲２０にて固着して表面材１０を形成している。これと対称的に裏面側の全面に複数の単一材（無垢材）である裏面部材１６ａ，１６ｂ，１６ｃ、…、１６ｉを配置して、前記複数の単一材（無垢材）である裏面部材１６ａ，１６ｂ，１６ｃ、…、１６ｉの夫々上下端部を前記上下の横框５，５に夫々第１の鋲２０にて固着して裏面材１５を形成している。【００２５】  即ち、表面材１０は、複数の単一材（無垢材）である表面部材１１ａ、１１ｂ、１１ｃ、…、１１ｉから構成されている。そして、表面部材１１ａには接合面側に凸部１２ａが，表面部材１１ｂには凸部１２ｂが、表面部材１１ｃには凸部１２ｃが、…、表面部材１１ｉには凸部１２ｉが夫々設けられていて、表面材１０（を構成する複数の単一材（無垢材）である各表面部材１１ａ〜１１ｉ）が、芯材４と横框５，５及び縦框７，７とに固着される場合に、表面部材１１ａの凸部１２ａと、表面部材１１ｂの凸部１２ｂと、…、表面部材１１ｉの凸部１２ｉとが、芯材４と、横框５，５及び縦框７，７との段差を埋めて隙間無く接合し得るようになっている。そして、各表面部材１１ａ、１１ｂ、１１ｃ、…、１１ｉの上下両端部を第１の鋲２０にて上下框５，５に固着している。芯材４をはじめ、表面材１０側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００２６】  同様に、表面材１０に対称的な裏面材１５は、複数の単一材（無垢材）である裏面部材１６ａ、１６ｂ、１６ｃ、…、１６ｉから構成されている。そして、裏面部材１６ａには接合面側に凸部１７ａが，裏面部材１６ｂには凸部１７ｂが、裏面部材１６ｃには凸部１７ｃが、…、裏面部材１６ｉには凸部１７ｉが夫々設けられていて、裏面材１５（を構成する複数の単一材（無垢材）である各裏面部材１６ａ〜１６ｉ）が、芯材４と横框５，５及び縦框７，７とに固着される場合に、裏面部材１６ａの凸部１７ａと、裏面部材１６ｂの凸部１７ｂと、…、裏面部材１６ｉの凸部１７ｉとが、芯材４と、横框５，５及び縦框７，７との段差を埋めて隙間無く接合し得るようになっている。そして、各裏面部材１６ａ、１６ｂ、１６ｃ、・・・、１６ｉの上下両端部を第１の鋲２０にて上下框５，５に固着している。裏面材１５側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００２７】  ドア本体２の左右側端部には左の端板２１と右の端板２２とが、その上下端部を第２の鋲２３にて固着されている。勿論、シックハウス対策としての国の改正建築基準法の規制適合のＦ☆☆☆☆（エフフォースター）の接着剤を併用しても良い。ドア本体２は、錠前（図示せず）を備えたハンドル３０を取付けるための孔等（図示せず）を施した後に、表面材１０と上下左右端面部には、防腐剤入り木材保護塗料を施し、塗装後も木目が鮮明に出るようにしてある。そして、裏面材１５側に植物成分及び蜜蝋ワックスと無毒・無害の顔料成分を使った蜜蝋系塗料を用い、塗装後も木目が鮮明に出るようにしている。【００２８】  その後、図１に示すように、前記木製ドア１の上下の複数箇所に、前記木製ドア１を回動自在に支持する蝶番２５を取付ける。その場合に、蝶番２５を構成する蝶番上部材２６の一方の延在する取付けアーム２６ａの先端部を水平位置より予め下方に下げて、夫々の取付けアーム２６ａを前記木製ドア１の表面に複数の第３の鋲２８にて取付けて、木製ドア１の重みに起因する蝶番２５の撓みによる前記木製ドア１の片下がりを防止する。これにより木製ドア１の片下がりないので、木製ドア１の開閉が滑らかに出来て、外出時や帰宅時等の木製ドア１の施錠や解錠が容易に出来て、便利である。【００２９】  更に、前記木製ドア１の前面に延在する前記蝶番２５の前記取付けアーム２６ａを複数の第３の鋲２８にて取付けることにより前記木製ドアの���飾を兼備すると共に、蝶番２５が確実に固定されて堅牢な木製ドアを形成できる。そして、表面と裏面の塗装も本物の木目を鮮明に見える塗装として、木の温もりを強く訴えるデザイン性を採用したので、視覚を通して無垢材（単一材）の心和ませる感触と高級感とを心理的に与え得ると共に、安価で、堅牢な木製ドア１が実現し、心地よく生活し得る環境を整えることが可能で便利である。【００３０】  図３〜図７は、本発明の第２の実施の形態に係り、図３は、その木製ドア４１の外観斜視図である。図４は、ドア本体４２の分解斜視図である。図５はその木製ドア４１のドア本体４２にアイアン格子８０で防護された小ドア７４付きの小窓７１を備えた正面図である。図６は、図５のＡ−Ａ線矢視断面図である。図７は、小窓７１の背面図である。【００３１】  図３を参照して、木製ドア４１は、ドア本体４２の左方端部に配置されている蝶番２５により回動自在に支持される。ここでは上下３箇所の蝶番２５が配置されているが上下２箇所の蝶番２５でも良い。蝶番２５は蝶番上部材２６と蝶番２７とからなり、蝶番下部材２７は壁側（図示せず）に取付けられ、蝶番上部材２６は、蝶番上部材２６から一方に延在する取付けアーム２６ａにより、複数の第３の鋲２８にて前記木製ドア４１の表面材５０に取付けてある。前記取付けアーム２６ａは装飾を兼備しながら表面材５０上に延在していて確実に複数の第３の鋲２８にて取付けられていて堅牢な木製ドア１を形成している。【００３２】  ところで、前記木製ドア４１に、前記蝶番２５を前記取付けアーム２６ａにて取付ける場合に、前記取付けアーム２６ａの先端部を水平位置より予め下方に下げて、前記木製ドア４１の前記表面材５０に前記取付けアーム２６ａを複数の前記第３の鋲２８にて取付けて、前記木製ドア４１の重みに起因する前記蝶番２５の撓みによる前記木製ドア４１の片下がりを防止する。これにより前記木製ドア４１の片下がりがないので、前記木製ドア４１の開閉が滑らかに出来て、外出時や帰宅時等の前記木製ドア４１の施錠や解錠が容易に出来て、便利である。そして、前記木製ドア４１の表面の前面右方端部の中央近傍に、錠前（図示せず）を内蔵しているハンドル３０が配置されている。【００３３】  図４に示すように、前記木製ドア４１を構成するドア本体４２には、一方の面に長手方向に溝６を備えた上下の横框５、５と、一方の面に長手方向に溝８を備えた左右の縦框７，７とを、各々前記溝６，８により、四角形の合板製の芯材４の上下端部に横框５，５を、左右端部に縦框７，７を夫々被着させる。上下端部に配置された各横框５，５の左右両端部には凸部が設けられていて、縦框７の溝８に嵌り込んで隙間を埋める。そして、表面側の全面に複数の単一材（無垢材）である表面部材５１ａ，５１ｂ，５１ｃ、…、５１ｉを配置し、前記複数の単一材（無垢材）である表面部材５１ａ，５１ｂ，５１ｃ、…、５１ｉの夫々上下端部を前記上下の横框５，５に夫々第１の鋲２０にて固着して表面材５０を形成している。これと対称的に裏面側の全面に複数の単一材（無垢材）である裏面部材５６ａ，５６ｂ，５６ｃ、…、５６ｉを配置して、前記複数の単一材（無垢材）である裏面部材５６ａ，５６ｂ，５６ｃ、…、��６ｉの夫々上下端部を前記上下の横框５，５に夫々第１の鋲２０にて固着して裏面材５５を形成している。【００３４】  即ち、表面材５０は、複数の単一材（無垢材）である表面部材５１ａ、５１ｂ、５１ｃ、…、５１ｉから構成されている。そして、表面部材５１ａには接合面側に凸部５２ａが，表面部材５１ｂには凸部５２ｂが、表面部材５１ｃには凸部５２ｃが、…、表面部材５１ｉには凸部５２ｉが夫々設けられていて、表面材５０（を構成する複数の単一材（無垢材）である各表面部材５１ａ〜５１ｉ）が、芯材４と横框５，５及び縦框７，７とに固着される場合に、表面部材５１ａの凸部５２ａと、表面部材５１ｂの凸部５２ｂと、…、表面部材５１ｉの凸部５２ｉとが、芯材４と、横框５，５及び縦框７，７との段差を埋めて隙間無く接合し得るようになっている。そして、各表面部材５１ａ、５１ｂ、５１ｃ、…、５１ｉの上下両端部を第１の鋲２０にて上下框５，５に固着している。芯材４をはじめ、表面材５０側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００３５】  同様に、表面材５０に対称的な裏面材５５は、複数の単一材（無垢材）である裏面部材５６ａ、５６ｂ、５６ｃ、…、５６ｉから構成されている。そして、裏面部材５６ａには接合面側に凸部５７ａが，裏面部材５６ｂには凸部５７ｂが、裏面部材５６ｃには凸部５７ｃが、…、裏面部材５６ｉには凸部５７ｉが夫々設けられていて、裏面材５５（を構成する複数の単一材（無垢材）である各裏面部材５６ａ〜５６ｉ）が、芯材４と横框５，５及び縦框７，７とに固着される場合に、裏面部材５６ａの凸部５７ａと、裏面部材５６ｂの凸部５７ｂと、…、裏面部材５６ｉの凸部５７ｉとが、芯材４と、横框５，５及び縦框７，７との段差を埋めて隙間無く接合し得るようになっている。そして、各裏面部材５６ａ、５６ｂ、５６ｃ、…、５６ｉの上下両端部を第１の鋲２０にて上下框５，５に固着している。裏面材５５側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００３６】  図４を参照して、ドア本体４２の左右側端部には左の端板２１と右の端板２２とが、その上下端部を第２の鋲２３にて固着されている。勿論、シックハウス対策としての国の改正建築基準法の規制適合のＦ☆☆☆☆（エフフォースター）の接着剤を併用しても良い。ドア本体４２は、錠前（図示せず）を備えたハンドル３０を取付けるための孔等（図示せず）を施した後に、表面材５０と上下左右端面部には、防腐剤入り木材保護塗料を施し、塗装後も木目が鮮明に見えるようにしてある。そして、裏面材１５側に植物成分及び蜜蝋ワックスと無毒・無害の顔料成分を使った蜜蝋系塗料を用い、塗装後も木目が鮮明に見えるようにしてある。【００３７】  図３〜図７を参照すると、ドア本体４２の中ほどに小窓７１を設け、小窓７１の表面側には窓額縁７２が固着されている。小窓７１側の芯材４４と表面材５０と裏面材５５の内側面には窓枠７３が設けられ、小ドア７４の端部の周囲にはドア枠７５が設けられている。この段階で、ドア本体４２及び小ドア７４の夫々表面と上下左右の側端面と裏面とに木目が鮮明に見える塗装を施すのである。そして、小窓７１の表面側には、アイアン格子８０が第４の鋲８１により木製ドア４１のドア本体４２に固着されて、小窓７１を防護している。そして、小窓７１には、一方端に小ドア７４が蝶番７７を介して回動自在にねじ（図示せぬ）にて取付けられ、他方端に掛け金７６が係脱自在にねじ（図示せず）にて取付けられている。この小窓７１は、訪問客の確認時に、掛け金７６の摘み７６ａを手指で持って掛け金７６を外して、小ドア７４を矢印Ｂ方向に開けて（図６参照）、訪問客を直接視認できて便利である。しかも、小窓７１の前面にアイアン格子８０が設けられており、防護されているので安全であり、安心である。【００３８】  そして、図３に示すように、前記木製ドア４１の上下の複数箇所に、前記木製ドア４１を回動自在に支持する蝶番２５を取付ける。その場合に、蝶番２５を構成する蝶番上部材２６の一方の延在する取付けアーム２６ａの先端部を水平位置より予め下方に下げて、夫々の取付けアーム２６ａを前記木製ドア４１を構成するドア本体４２の表面に複数の第３の鋲２８にて取付けて、木製ドア４１の重みに起因する蝶番２５の撓みによる前記木製ドア４１の片下がりを防止する。これにより木製ドア４１の片下がりないので、木製ドア４１の開閉が滑らかに出来て、外出時や帰宅時等の木製ドア４１の施錠や解錠が容易に出来て、便利である。【００３９】  更に、前記木製ドア４１の前面に延在する前記蝶番２５の前記取付けアーム２６ａを複数の第３の鋲２８にて取付けることにより前記木製ドアの装飾を兼備すると共に、蝶番２５が確実に固定されて堅牢な木製ドアを形成できる。そして、表面と裏面の塗装も本物の木目を鮮明に見える塗装として、木の温もりを強く訴えるデザイン性を採用したので、視覚を通して無垢材（単一材）の心和ませる感触と高級感とを心理的に与え得ると共に、安価で、堅牢な木製ドア１が実現し、心地よく生活し得る環境を整えることが可能で便利である。【００４０】  図８は、本発明の第３の実施の形態に係り、図８はその木製ドア１０１の外観斜視図である。図９は木製ドア１０１を構成するドア本体１０２の分解斜視図である。図８を参照して、木製ドア１０１は、ドア本体１０２の左方端部に配置されている蝶番２５により回動自在に支持される。ここでは上下２箇所の蝶番２５が配置されているが上下３箇所の蝶番２５でも良い。蝶番２５は蝶番上部材２６と蝶番２７とからなり、蝶番下部材２７は壁側（図示せず）に取付けられ、蝶番上部材２６は、蝶番上部材２６から一方に延在する取付けアーム２６ａにより、複数の第３の鋲２８にて前記木製ドア１０１の表面材１１０に取付けてある。前記取付けアーム２６ａは装飾を兼備しながら表面材１１０上に延在していて確実に複数の第３の鋲２８にて取付けられていて堅牢な木製ドア１０１を形成している。【００４１】  ところで、前記木製ドア１０１に、前記蝶番２５を前記取付けアーム２６ａにて取付ける場合に、前記取付けアーム２���ａの先端部を水平位置より予め下方に下げて、前記木製ドア１０１の前記表面材１１０に前記取付けアーム２６ａを複数の前記第３の鋲２８にて取付けて、前記木製ドア１０１の重みに起因する前記蝶番２５の撓みによる前記木製ドア１０１の片下がりを防止する。これにより前記木製ドア１０１の片下がりがないので、前記木製ドア１０１の開閉が滑らかに出来て、外出時や帰宅時等の前記木製ドア１０１の施錠や解錠が容易に出来て、便利である。そして、前記木製ドア１０１の表面の前面右方端部の中央近傍に、錠前（図示せず）を内蔵しているドアノブ１３０が配置されている。そして、向かって右上方に明かり窓１４５が設けてある。この木製ドア１０１は主に室内用であるが、玄関ドア等にも使用可能である。【００４２】  図９に示すように、前記木製ドア１０１を構成するドア本体１０２には、一方の面に長手方向に溝６を備えた上下の横框５、５と、一方の面に長手方向に溝８を備えた左右の縦框７，７とを、各々前記溝６，８により、四角形の合板製の芯材１０４の上下端部に横框５，５を、左右端部に縦框７，７を夫々被着させる。上下端部に配置された各横框５，５の左右両端部には凸部が設けられていて、縦框７の溝８に嵌り込んで隙間を埋める。そして、表面側の全面に複数の単一材（無垢材）である表面部材１１１ａ，１１１ｂ，１１１ｃ、…、１１１ｉを配置し、前記複数の単一材（無垢材）である表面部材１１１ａ，１１１ｂ，１１１ｃ、…、１１１ｉの夫々上下端部を前記上下の横框５，５に夫々第１の鋲２０にて固着して表面材１１０を形成している。これと対称的に裏面側の全面に複数の単一材（無垢材）である裏面部材１１６ａ，１１６ｂ，１１６ｃ、…、１１６ｉを配置して、前記複数の単一材（無垢材）である裏面部材１１６ａ，１１６ｂ，１１６ｃ、…、１１６ｉの夫々上下端部を前記上下の横框５，５に夫々第１の鋲２０にて固着して裏面材１１５を形成している。【００４３】  即ち、表面材１１０は、複数の単一材（無垢材）である表面部材１１１ａ、１１１ｂ、１１１ｃ、…、１１１ｉから構成されている。そして、表面部材１１１ａには接合面側に凸部１１２ａが，表面部材１１１ｂには凸部１１２ｂが、表面部材１１１ｃには凸部１１２ｃが、…、表面部材１１１ｉには凸部１１２ｉが夫々設けられていて、表面材１１０（を構成する複数の単一材（無垢材）である各表面部材１１１ａ〜１１１ｉ）が、芯材１０４と横框５，５及び縦框７，７とに固着される場合に、表面部材１１１ａの凸部１１２ａと、表面部材１１１ｂの凸部１１２ｂと、…、表面部材１１１ｉの凸部１１２ｉとが、芯材１０４と、横框５，５及び縦框７，７との段差を埋めて隙間無く接合し得るようになっている。そして、各表面部材１１１ａ、１１１ｂ、１１１ｃ、…、１１１ｉの上下両端部を第１の鋲２０にて上下框５，５に固着している。芯材１０４をはじめ、表面材１１０側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００４４】  同様に、表面材１１０に対称的な裏面材１１５は、複数の単一材（無垢���）である裏面部材１１６ａ、１１６ｂ、１１６ｃ、…、１１６ｉから構成されている。そして、裏面部材１１６ａには接合面側に凸部１１７ａが，裏面部材１１６ｂには凸部１１７ｂが、裏面部材１１６ｃには凸部１１７ｃが、…、裏面部材１１６ｉには凸部１１７ｉが夫々設けられていて、裏面材１１５（を構成する複数の単一材（無垢材）である各裏面部材１１６ａ〜１１６ｉ）が、芯材１０４と横框５，５及び縦框７，７とに固着される場合に、裏面部材１１６ａの凸部１１７ａと、裏面部材１１６ｂの凸部１１７ｂと、…、裏面部材１１６ｉの凸部１１７ｉとが、芯材１０４と、横框５，５及び縦框７，７との段差を埋めて隙間無く接合し得るようになっている。そして、各裏面部材１１６ａ、１１６ｂ、１１６ｃ、…、１１６ｉの上下両端部を第１の鋲２０にて上下框５，５に固着している。裏面材１１５側の各部材間の接合には、アレルギ等を引越さないようにシックハウス対策としての国の改正建築基準法の規制適合のＦ☆☆☆☆（エフフォースター）の接着剤を使用して、アレルギー等を引起すシックハウスを防止している。【００４５】  図９を参照して、ドア本体１０２の左右側端部には左の端板２１と右の端板２２とが、その上下端部を第２の鋲２３にて固着されている。勿論、シックハウス対策としての国の改正建築基準法の規制適合のＦ☆☆☆☆（エフフォースター）の接着剤を併用しても良い。ドア本体１０２は、錠前（図示せず）を備えたドアノブ１３０を取付けるための孔等（図示せず）を施したり、図８のＣ−Ｃ線矢視断面図に示すような裏面材１１５には孔１１５ａを、そして、合板製の芯材１０４に孔１０４ａを、表面板１１０には孔１１０ａを設け、これらの孔１１０、孔１０４ａ、そして、孔１１５ａは同軸の孔で、孔の直径は、孔１１０ａと孔１０４ａとは同一であり、切断したビンの外径が嵌め込み可能な大きさとし、孔１１５ａの直径は切断したビンの内径よりもやや小さく設定してある。【００４６】  これらの孔あけ加工後にドア本体１０２の塗装をする。即ち、木製ドア１０１の用途が室内用の場合には、ドア本体１０２の全面に、植物成分及び蜜蝋ワックスと無毒・無害の顔料成分を使った蜜蝋系塗料を用い、塗装後も木目が鮮明に出るようにする。木製ドア１０１の用途が玄関ドアの場合には、ドア本体１０２の表面材１１０と上下左右端面部には、防腐剤入り木材保護塗料を施し、塗装後も木目が鮮明に出るようにする。そして、室内に面する裏面材１５側に植物成分及び蜜蝋ワックスと無毒・無害の顔料成分を使った蜜蝋系塗料を用い、塗装後も木目が鮮明に出るようにする。【００４７】  図８を参照して、ドア本体１０２に錠前（図示せず）用や明かり窓１４５用の孔加工等を完了し、塗装をした後に、前述と重複するが説明すると、前記木製ドア１０１の上下の複数箇所に、前記木製ドア１０１を回動自在に支持する蝶番２５を取付ける。その場合に、蝶番２５を構成する蝶番上部材２６の一方の延在する取付けアーム２６ａの先端部を水平位置より予め下方に下げて、夫々の取付けアーム２６ａを前記木製ドア１０１を構成するドア本体１０２の表面に複数の第３の鋲２８にて取付けて、木製ドア１０１の重みに起因する蝶番２５の撓みによる前記木製ドア���０１の片下がりを防止する。これにより木製ドア１０１の片下がりないので、木製ドア１０１の開閉が滑らかに出来て、外出時や帰宅時等の木製ドア４１の施錠や解錠が容易に出来て、便利である。【００４８】  更に、前記木製ドア１０１の前面に延在する前記蝶番２５の前記取付けアーム２６ａを複数の第３の鋲２８にて取付けることにより前記木製ドア１０１の装飾を兼備すると共に、蝶番２５が確実に固定されて堅牢な木製ドア１０１を形成できる。そして、表面と裏面の塗装も本物の木目を鮮明に見られる塗装として、木の温もりを強く訴えるデザイン性を採用したので、視覚を通して無垢材（単一材）の心和ませる感触と高級感とを心理的に与え得ると共に、安価で、堅牢な木製ドア１０１が実現し、心地よく生活し得る環境を整えることが可能で便利である。【００４９】  図８を参照して、木製ドア１０１の右上方に明かり窓１４５を設けている。Ｃ−Ｃ矢視断面図を参照すると、切断された空き瓶底部１４６が、表面材１１０の孔１１０ａと、芯材１０４の孔１０４ａから挿入され、裏面材１１５の孔１１５ａの内端部に当接して、接着剤１４８にて接着されている。切断された空き瓶底部１４６は、ワインボトル等の色彩の美しいガラス瓶を選んで好みにあったものを使用することが出来ると共に、空き瓶を有効利用でき省資源となり、且つ、きれいなガラスを通して室内の明かりが確認できて便利である。【００５０】  以上、本発明の実施の形態を説明したが、本発明の範囲は、これに限定されるものではなく、本発明の要旨を逸脱しない範囲内において種々変更を加え得ることは勿論である。
【産業上の利用可能性】
【００５１】本発明は一般住宅やマンション等の集合住宅や事務所の建物の玄関ドアや内部ドア等の建築分野で広く利用することが出来る。
【図面の簡単な説明】
【００５２】
【図１】  本発明の第１の実施の形態に係る木製ドアの外観斜視図である。
【図２】  本発明の第１の実施の形態に係るドア本体の分解斜視図である。
【図３】  本発明の第２の実施の形態に係る木製ドアの外観斜視図である。
【図４】  本発明の第２の実施の形態に係るドア本体の分解斜視図である。
【図５】  本発明の第２の実施の形態に係る木製ドアのアイアン格子で防護された小ドア付きの小窓の要部を示す正面図である。
【図６】  図５のＡ−Ａ線矢視断面図である。
【図７】  本発明の第２の実施の形態に係る小ドアの要部を示す背面図である。
【図８】  本発明の第３の実施の形態に係る木製ドアの外観斜視図である。
【図７】  本発明の第３の実施の形態に係るドア本体の分解斜視図である。
【符号の説明】
【００５３】１…木製ドア、２…ドア本体、４…心材、５…横框、７…縦框、１０…表面材、１５…裏面材、２５…蝶番、２６…蝶番上部材、２６ａ…取付けアーム、２７…蝶番下部材、２８…第３の鋲、３０…ハンドル。
【図１】
2007092491.tif 000003
【図２】
2007092491.tif 000004
【図３】
2007092491.tif 000005
【図４】
2007092491.tif 000006
【図５】
2007092491.tif 000007
【図６】
2007092491.tif 000008
【図７】
2007092491.tif 000009
【図８】
2007092491.tif 000010
【図９】
2007092491.tif 000011
【手続補正書】
【提出日】平成17年12月12日(2005.12.12)
【手続補正１】
【補正対象書類名】明細書
【補正対象項目名】００５２
【補正方法】変更
【補正の内容】
【００５２】
【図１】  本発明の第１の実施の形態に係る木製ドアの外観斜視図である。
【図２】  本発明の第１の実施の形態に係るドア本体の分解斜視図である。
【図３】  本発明の第２の実施の形態に係る木製ドアの外観斜視図である。
【図４】  本発明の第２の実施の形態に係るドア本体の分解斜視図である。
【図５】  本発明の第２の実施の形態に係る木製ドアのアイアン格子で防護された小ドア付きの小窓の要部を示す正面図である。
【図６】  図５のＡ−Ａ線矢視断面図である。
【図７】  本発明の第２の実施の形態に係る小ドアの要部を示す背面図である。
【図８】  本発明の第３の実施の形態に係る木製ドアの外観斜視図である。
【図９】  本発明の第３の実施の形態に係るドア本体の分解斜視図である。